(57)【要約】【課題】安定的にバッテリモジュールを固定することができる固定構造を含むバッテリモジュールを提供する。【解決手段】第１方向に整列された複数のバッテリセル１１０と、複数のバッテリセル１１０のうち各々の最外郭のバッテリセル１１０と隣接して備えられ、第１方向と垂直な第２方向に延びて形成される一対のエンドプレート１６０と、エンドプレート１６０に結合される少なくとも一つのブッシュ部材１４０を含む。【選択図】図１
2015011989.tif 000002
【特許請求の範囲】
【請求項１】
第１方向に整列された複数のバッテリセルと、
前記複数のバッテリセルのうち各々の最外郭のバッテリセルと隣接して備えられ、前記第１方向と垂直な第２方向に延びて形成される一対のエンドプレートと、
前記エンドプレートに結合される少なくとも一つのブッシュ部材と、
を含むことを特徴とするバッテリモジュール。
【請求項２】
前記ブッシュ部材は、前記第２方向に沿って形成されることを特徴とする請求項１に記載のバッテリモジュール。
【請求項３】
前記ブッシュ部材は、前記エンドプレートから前記バッテリモジュールが取り付けられる機具の基部の方向に突出し、前記エンドプレートを前記基部に固定することを特徴とする請求項１または２に記載のバッテリモジュール。
【請求項４】
前記ブッシュ部材は、第１ホールを含み、前記第１ホールを通過して前記基部の方向に突出することにより、前記エンドプレートを前記基部に固定する固定部材をさらに含むことを特徴とする請求項３に記載のバッテリモジュール。
【請求項５】
前記固定部材は、ボルトであることを特徴とする請求項４に記載のバッテリモジュール。
【請求項６】
前記ブッシュ部材は、一対のブッシュ部材で構成され、前記一対のブッシュ部材は、前記第１方向及び前記ブッシュ部材の軸方向と垂直な第３方向に沿って離隔され、前記エンドプレートと結合されることを特徴とする請求項４に記載のバッテリモジュール。
【請求項７】
前記ブッシュ部材は、前記エンドプレートの前記第３方向上の両端に結合されることを特徴とする請求項６に記載のバッテリモジュール。
【請求項８】
前記エンドプレートは、前記エンドプレートの前記第３方向上の両端から前記最外郭のバッテリセルの方向に前記第１方向に沿って延びた延長部をさらに含み、
前記ブッシュ部材は、前記延長部に結合されることを特徴とする請求項７に記載のバッテリモジュール。
【請求項９】
前記ブッシュ部材は、前記基部の反対の方向に延びて、前記エンドプレートから突出し、前記第１方向に沿って前記エンドプレート上にガイドされ、前記第３方向に沿って前記延長部上にガイドされるガイド部をさらに含むことを特徴とする請求項８に記載のバッテリモジュール。
【請求項１０】
前記ブッシュ部材と前記延長部とは、レーザー溶接または超音波溶接によって結合されることを特徴とする請求項８に記載のバッテリモジュール。
【請求項１１】
前記最外郭のバッテリセルと前記エンドプレートとの間に配置されるエンドブロックをさらに含むことを特徴とする請求項１〜１０のうちいずれかに記載のバッテリモジュール。
【請求項１２】
前記エンドブロックには、前記ブッシュ部材が安着される安着領域が設けられることを特徴とする請求項１１に記載のバッテリモジュール。
【請求項１３】
前記エンドブロックは、前記エンドプレートと前記最外郭のバッテリセルと面接触するように配置されることを特徴とする請求項１１に記載のバッテリモジュール。
【請求項１４】
前記エンドプレートは、第１結合領域を含み、前記エンドブロックは、前記第１結合領域と結合される第２結合領域とを含むことを特徴とする請求項１１に記載のバッテリモジュール。
【請求項１５】
前記第１結合領域は、前記エンドプレートから前記最外郭のバッテリセルの方向に突出して形成されることを特徴とする請求項１４に記載のバッテリモジュール。
【請求項１６】
前記エンドブロックは、前記エンドプレートより軽い材質で形成されることを特徴とする請求項１１に記載のバッテリモジュール。
【請求項１７】
前記一対のエンドプレートの間を連結するサイドプレートをさらに含み、前記サイドプレートは、前記複数のバッテリセルに沿って前記第１方向に延びて形成されることを特徴とする請求項４〜１０のうちいずれかに記載のバッテリモジュール。
【請求項１８】
前記サイドプレートは、前記基部と隣接した前記サイドプレートの端から前記バッテリセルに向かって前記第１方向及び前記ブッシュ部材の軸方向と垂直な第３方向に沿って延びた第２ホールを含む第１固定ホール部を含み、
前記固定部材は、前記第１ホール及び前記第２ホールに挿入され、前記サイドプレートと前記ブッシュ部材とを締結することを特徴とする請求項１７に記載のバッテリモジュール。
【請求項１９】
前記バッテリセルの上面を覆うトッププレートをさらに含むことを特徴とする請求項４〜１０のうちいずれかに記載のバッテリモジュール。
【請求項２０】
前記トッププレートは、前記ブッシュ部材の前記第１ホールの上端に延びて形成され、内部に第３ホールを含む第２固定ホール部をさらに含み、
前記固定部材は、前記第１ホール及び前記第３ホールに挿入され、前記トッププレートと前記ブッシュ部材とを締結することを特徴とする請求項１９に記載のバッテリモジュール。
【発明の詳細な説明】
【技術分野】
【０００１】
本発明は、バッテリモジュールに関する。
【背景技術】
【０００２】
近年、高エネルギー密度の非水電解液を用いた高出力のバッテリモジュールが開発されている。このような高出力のバッテリモジュールは、高出力を必要とする機器、例えば電気自動車などのモータ駆動に使用できるように、複数のバッテリセルを直列に連結して大容量のバッテリモジュールを構成する。
【０００３】
バッテリモジュールをバッテリモジュールが取り付けられる機具の基部に固定する場合、従来には、最外郭のバッテリセルに隣接して配置されるエンドプレートの拡張によってボルト締め（ｂｏｌｔｉｎｇ）のためのホールを提供する方式を利用した。
【発明の概要】
【発明が解決しようとする課題】
【０００４】
しかし、このような設計は、バッテリモジュールの重量と環境のスペックに応じた剛性を確保するために、エンドプレート母材の過設計を誘発しえる。さらに、局部的なモジュールの固定構造によるストレス集中の危険性が高くなるという問題があった。
【０００５】
そこで、本発明は、上記問題に鑑みてなされたものであり、本発明の目的とするところは、安定的にバッテリモジュールを固定することができる固定構造を含むバッテリモジュールを提供することにある。
【課題を解決するための手段】
【０００６】
上記課題を解決するために、本発明のある観点によれば、第１方向に整列された複数のバッテリセルと、前記複数のバッテリセルのうち各々の最外郭のバッテリセルと隣接して備えられ、前記第１方向と垂直な第２方向に延びて形成される一対のエンドプレートと、前記エンドプレートに結合される少なくとも一つのブッシュ部材と、を含むことを特徴とするバッテリモジュールが提供される。ここで、ブッシュ部材は、前記第２方向に沿って形成されてもよい。
【０００７】
また、前記ブッシュ部材は、前記エンドプレートから前記バッテリモジュールが取り付けられる機具の基部の方向に突出し、前記エンドプレートを前記基部に固定することができる。
【０００８】
また、前記ブッシュ部材は、第１ホールを含み、前記第１ホールを通過して前記基部の方向に突出することにより、前記エンドプレートを前記基部に固定する固定部材をさらに含むことができる。
【０００９】
また、前記固定部材は、ボルトであってもよい。
【００１０】
また、前記ブッシュ部材は、一対のブッシュ部材で構成され、前記一対のブッシュ部材は、前記第１方向及び前記ブッシュ部材の軸方向と垂直な第３方向に沿って離隔され、前記エンドプレートと結合されてもよい。
【００１１】
また、前記ブッシュ部材は、前記エンドプレートの前記第３方向上の両端に結合されてもよい。
【００１２】
また、前記エンドプレートは、前記エンドプレートの前記第３方向上の両端から前記最外郭のバッテリセルの方向に前記第１方向に沿って延びた延長部をさらに含み、前記ブッシュ部材は、延長部に結合されてもよい。
【００１３】
また、前記ブッシュ部材は、前記基部の反対の方向に延びて、前記エンドプレートから突出し、前記第１方向に沿って前記エンドプレート上にガイドされ、前記第３方向に沿って前記延長部上にガイドされるガイド部をさらに含むことができる。
【００１４】
また、前記ブッシュ部材と前記延長部とは、レーザー溶接または超音波溶接によって結合されてもよい。
【００１５】
また、前記最外郭のバッテリセルと、前記エンドプレートとの間に配置されるエンドブロックをさらに含むことができる。
【００１６】
また、前記エンドブロックには、前記ブッシュ部材が安着される安着領域が設けられてもよい。
【００１７】
また、前記エンドブロックは、前記エンドプレートと前記最外郭のバッテリセルと面接触するように配置されてもよい。
【００１８】
また、前記エンドプレートは、第１結合領域を含み、前記エンドブロックは、前記第１結合領域と結合される第２結合領域とを含むことができる。
【００１９】
また、前記第１結合領域は、前記エンドプレートから前記最外郭のバッテリセルの方向に突出して形成されてもよい。
【００２０】
また、前記エンドブロックは、前記エンドプレートより軽い材質で形成されてもよい。
【００２１】
また、前記一対のエンドプレートの間を連結するサイドプレートをさらに含み、前記サイドプレートは、前記複数のバッテリセルに沿って前記第１方向に延びて形成されてもよい。
【００２２】
また、前記サイドプレートは、前記基部と隣接した前記サイドプレートの端から前記バッテリセルに向かって前記第１方向及び前記ブッシュ部材の軸方向と垂直な第３方向に沿って延びた第２ホールを含む第１固定ホール部を含み、前記固定部材は、前記第１ホール及び前記第２ホールに挿入され、前記サイドプレートと前記ブッシュ部材とを締結することができる。
【００２３】
また、前記バッテリセルの上面を覆うトッププレートをさらに含むことができる。
【００２４】
また、前記トッププレートは、前記ブッシュ部材の第１ホールの上端に延びて形成され、内部に第３ホールを含む第２固定ホール部をさらに含み、前記固定部材は、前記第１ホール及び前記第３ホールに挿入され、前記トッププレートと前記ブッシュ部材とを締結することができる。
【発明の効果】
【００２５】
以上説明したように本発明によれば、安定的にバッテリモジュールを固定することができる固定構造を含むバッテリモジュールを提供することができる。
【図面の簡単な説明】
【００２６】
【図１】本発明の好ましい実施形態によるバッテリモジュールの斜視図である。
【図２】図１のバッテリモジュールの分解斜視図である。
【図３】本発明の一実施形態によるエンドプレートとブッシュ部材及び固定部材間の連結関係を説明するために示す図である。
【図４】本発明の別の実施形態によるエンドプレートとブッシュ部材とを示す斜視図である。
【図５】本発明の別の実施形態によるエンドプレートとブッシュ部材とを示す斜視図である。
【図６】本発明の別の実施形態によるバッテリモジュールの斜視図である。
【図７】図６のエンドブロック、エンドプレート及びブッシュ部材の斜視図である。
【図８】本発明の別の実施形態によるエンドブロック、エンドプレート及びブッシュ部材の斜視図である。
【図９】本発明の別の実施形態によるエンドブロック及びエンドプレートを示した斜視図である。
【図１０】本発明の別の実施形態によるエンドブロック及びエンドプレートを示した斜視図である。
【図１１】本発明の別の実施形態によるバッテリモジュールの斜視図である。
【図１２】図１１のバッテリモジュールの分解斜視図である。
【発明を実施するための形態】
【００２７】
その他実施形態の具体的な事項は詳細な説明及び図面に含まれている。また、本発明の利点および特徴、そしてそれらを達成する方法は、添付される図面と共に詳細に後述されている実施形態を参照すれば明確になるだろう。しかし、本発明は、以下に開示される実施形態に限定されるものではなく、異なる多様な形態で具現することができ、以下の説明ではある部分が他の部分と連結されているとしたとき、これは、直接連結されている場合のみならず、その中間に他の素子を間に置いて電気的に連結されている場合も含む。また、図面では、本発明と関係のない部分は、本発明の説明を明確にするために省略し、明細書全体を通じて類似した部分については同一の符号を付した。
【００２８】
以下、添付した図面を参照しながら本発明について説明する。図１は、本発明の好ましい実施形態によるバッテリモジュールの斜視図、図２は、図１のバッテリモジュールの分解斜視図である。
【００２９】
本発明の一実施形態によるバッテリモジュール１００は、一方向に整列される複数のバッテリセル１１０を含むが、前記バッテリセル１１０は、隣接するバッテリセル１１０の広い面が互いに対面するように整列される。
【００３０】
前記バッテリモジュール１００を構成するバッテリセル１１０は、一面が開口されたバッテリケースと前記バッテリケース内に収納された電極組立体及び電解液で構成されてもよい。電極組立体及び電解液は、電気化学的に反応してエネルギーを発生し、前記バッテリケースは、第１面１１８によって密閉されることができる。例えば、前記バッテリセル１１０の第１面１１８は、キャップ組立体を含むことができる。
【００３１】
前記第１面１１８には、互いに異なる極性を有するアノード端子１１２及びカソード端子１１３、ベント部１１４が具備されることができ、前記ベント部１１４は、バッテリセル１１０の安全手段としてバッテリセル１１０の内部で発生する気体を外部に放出する通路として作用する。
【００３２】
本実施形態では、前記バッテリセル１１０は、リチウムイオン二次バッテリであり、角型であることを一例として説明する。ただし、本発明はこれに限定されるものではなく、本発明は、リチウムポリマーなど様々な形のバッテリを適用することができる。
【００３３】
最外郭のバッテリセル１１０に隣接して一対のエンドプレート１６０が具備され、バッテリセル１１０の側面には、前記一対のエンドプレート１６０の間を連結する一対のサイドプレート１７０が配置される。このとき、エンドプレート１６０とサイドプレート１７０との間は、レーザー溶接または超音波溶接によって結合することができる。複数のバッテリセル１１０は、一対のエンドプレート１６０と一対のサイドプレート１７０とによって区画された空間の中に、第１方向に整列されて具備されてもよい。
【００３４】
この時、前記バッテリセル１１０は、複数個が広い前面が互いに対向するように並んで整列されるため、隣接した二つのバッテリセル１１０のアノード端子１１２及びカソード端子１１３は、バスバー１３０を介して電気的に連結されることができる。バスバー１３０は、端子部１１１の間を電気的に連結できるように、金、銀、銅、ニッケル、アルミニウム、銅合金またはアルミニウム合金等の導電性金属で構成することができる。また、バスバー１３０は、端子部１１１に溶接されて接合することができる。ここで、溶接とは、レーザ溶接または超音波溶接でありえる。バスバー１３０の形状は、端子部１１１の形状に応じて多様に形成されうることは勿論である。
【００３５】
エンドプレート１６０には、第１方向と垂直な第２方向に沿って延びて形成され、内部に第１ホール１４０ａが具備されているブッシュ部材１４０が結合される。なお、図１では、第２方向は端子部１１１を含むバッテリセル上面に垂直な方向を示しているが、この方向は第１方向と垂直な方向の一例にすぎず、第２方向は他の方向となることができる。ブッシュ部材１４０は、エンドプレート１６０からバッテリモジュール１００が取り付けられる機具の基部１０方向に突出し、エンドプレート１６０が基部１０に固定されるようにする。
【００３６】
より詳細には、ブッシュ部材１４０の第１ホール１４０ａを通過して基部の方向に突出する固定部材１５０によって、バッテリモジュール１００は、バッテリモジュール１００が取り付けられる機具の基部１０に締結されてもよい。
【００３７】
図３は、本発明の一実施形態によるエンドプレートとブッシュ部材及び固定部材の間の連結関係を説明するために示す図である。
【００３８】
図３を参照すると、ブッシュ部材１４０は、一対のブッシュ部材１４０で構成され、一対のブッシュ部材１４０は、第１方向及びブッシュ部材１４０の軸方向と垂直な第３方向に沿って離隔され、エンドプレート１６０と結合されることができる。この時、ブッシュ部材１４０は、エンドプレート１６０の第３方向上の両端に結合されることができる。
【００３９】
エンドプレート１６０は、バッテリセル１１０の方向にエンドプレート１６０の第３方向上の両端から最外郭のバッテリセルの方向に第１方向に沿って延びた延長部１６１を備え、ブッシュ部材１４０は、延長部１６１に結合される。
【００４０】
エンドプレート１６０とブッシュ部材１４０とは、いずれも鋼のような金属の材質で形成されることができ、ブッシュ部材１４０は、延長部１６１とレーザー溶接または超音波溶接によって堅固に結合されてもよい。
【００４１】
ブッシュ部材１４０には、ブッシュ部材１４０の軸方向に沿って貫通して形成される第１ホール１４０ａが形成され、第１ホール１４０ａを介して固定部材１５０が挿入される。
【００４２】
固定部材１５０は、長ボルトであってもよく、固定部材１５０の下端に形成された螺子線１５１が機具の基部１０に形成されたホール１１に締結されることにより、バッテリモジュール１００を基部１０に固定することができる。
【００４３】
以上のように、本発明は、エンドプレートの拡張により基部１０とボルティングによるホールを提供する形態ではなく、別のブッシュ部材１４０を利用して基部１０と締結する固定構造を提供することにより、バッテリモジュール１００の基部１０に堅固に締結することができる。
【００４４】
図４は、本発明の別の実施形態によるエンドプレートとブッシュ部材とを示す斜視図である。図４を参照すると、ブッシュ部材２４０の上端には前記ブッシュ部材２４０の位置をエンドプレート１６０の延長部１６１上にガイドするためのガイド部２４１が形成されることができる。
【００４５】
ガイド部２４１は、ブッシュ部材２４０から基部１０の反対の方向に延びて、エンドプレートから突出し、第１方向に沿ってエンドプレート上にガイドされ、第３方向に沿って延長部１６１上にガイドされる。即ち、ガイド部２４１によってブッシュ部材２４０は、エンドプレート１６０の上端に引っかかることで位置がガイドされることができる。これにより、ブッシュ部材２４０をエンドプレート１６０に容易に溶接することができる。
【００４６】
図５は、本発明の別の実施形態によるエンドプレートとブッシュ部材とを示す斜視図である。図５を参照すると、エンドプレート２６０は、バッテリセル１１０の方向にエンドプレート２６０の両側から折り曲げて延びた第１延長部２６１と、上側及び下側から折り曲げて延びた第２延長部２６２とを備え、ブッシュ部材１４０は、第２延長部２６２に沿って結合されることができる。
【００４７】
図６は、本発明の別の実施形態によるバッテリモジュールの斜視図、図７は、図６のエンドブロック、エンドプレート及びブッシュ部材の斜視図である。以下、これを参照して本実施形態によるエンドブロック、エンドプレート及びブッシュ部材について説明する。ここで、同一または対応する構成要素は同一の図面符号を付しており、以前の実施形態と重複する説明は省略する。
【００４８】
図６ないし図７を参照すると、最外郭バッテリセル１１０とエンドプレート１６０との間には、エンドブロック１８０が配置される。より詳細には、エンドブロック１８０は、ブッシュ部材１４０によってエンドプレート１６０とバッテリセル１１０との間に形成された空間を満たすようになる。このために、エンドブロック１８０の両側には、ブッシュ部材１４０が安着される安着領域１８１が設けられる。安着領域１８１は、ブッシュ部材１４０の形状に対応して形成されることができる。
【００４９】
エンドブロック１８０は、エンドプレート１６０と最外郭のバッテリセル１１０と面接触するように配置され、複数のバッテリセル１１０を内側へ加圧することにより、バッテリセル１１０から発生するスウェリング（Ｓｗｅｌｌｉｎｇ）現象を防止する役目をする。従来のバッテリモジュール１００の場合、エンドプレート１６０のみを利用してバッテリセル１１０を加圧した。この場合、エンドプレート１６０の厚さが薄いため、バッテリセル１１０を強く加圧するのに限界があった。しかし、本発明の場合、エンドブロック１８０がさらに具備されることにより、バッテリセル１１０を加圧する部分の厚さが増加し、これによってバッテリセル１１０をより強く加圧することができる。
【００５０】
また、エンドブロック１８０は、金属材料で形成されたエンドプレート１６０とは異なり、プラスチック素材の軽い材質で形成されることで、バッテリモジュール１００の重量が増加することを防止する。
【００５１】
図８は、本発明の別の実施形態によるエンドブロック、エンドプレート及びブッシュ部材の斜視図である。以下、これを参照して本実施形態によるエンドブロックとエンドプレート及びブッシュ部材について説明する。ここで、同一または対応する構成要素は同一の符号を付しており、以前の実施形態と重複する説明は省略する。
【００５２】
図８を参照すると、エンドブロック２８０の上側及び下側には、ブッシュ部材１４０が装着される安着領域２８１が設けられる。安着領域２８１は、ブッシュ部材１４０の形状に対応して形成されることができる。
【００５３】
図９は、本発明の別の実施形態によるエンドブロック及びエンドプレートを示した斜視図である。以下、これを参照して本実施形態によるエンドブロック及びエンドプレートについて説明する。ここで、同一または対応する構成要素は同一の符号を付しており、以前の実施形態と重複する説明は省略する。
【００５４】
図９を参照すると、エンドプレート３６０の側面には、エンドブロック３８０の方向に突出する少なくとも一つの第１結合領域３６３が形成される。また、エンドブロック３８０の側面には、前記第１結合領域３６３を収容する少なくとも一つの第２結合領域３８３が形成される。前記第１結合領域３６３が前記第２結合領域３８３に収容されることにより、エンドブロック３８０とエンドプレート３６０との間の緊密な結合が可能であり、エンドプレート３６０の撓みに対する剛性を向上させることができる。
【００５５】
図１０は、本発明の別の実施形態によるエンドブロックとエンドプレートを示した斜視図である。以下、これを参照して本実施形態によるエンドブロックとエンドプレートについて説明する。ここで、同一または対応する構成要素は同一の符号を付しており、以前の実施形態と重複する説明は省略する。
【００５６】
図１０を参照すると、エンドプレート４６０の側面には、エンドブロック４８０の方向に突出する少なくとも一つの第１結合領域４６３が形成される。また、エンドブロック４８０の側面には、前記第１結合領域４６３を収容する少なくとも一つの第２結合領域４８３が形成される。前記第１結合領域４６３が前記第２結合領域４８３に収容されることにより、エンドブロック４８０とエンドプレート４６０との間の緊密な結合が可能であり、エンドプレート４６０の撓みに対する剛性を向上させることができる。
【００５７】
また、エンドプレート４６０は、バッテリセル１１０の方向にエンドプレート４６０の両側から折り曲げて延びた第１延長部４６１及びバッテリセル１１０の方向にエンドプレート４６０の上側及び下側から折り曲げて延びた第２延長部４６２を備え、ブッシュ部材１４０は、第２延長部４６２に沿って結合されることができる。これに対応してエンドブロック４８０の上側及び下側には、ブッシュ部材１４０が安着する安着領域４８１が設けられる。
【００５８】
図１１は、本発明の別の実施形態によるバッテリモジュールの斜視図であり、図１２は、図１１のバッテリモジュールの分解斜視図である。以下、これを参照して本実施形態によるバッテリモジュールについて説明する。ここで、同一または対応する構成要素は同一の符号を付しており、以前の実施形態と重複する説明は省略する。
【００５９】
図１１ないし図１２を参照すると、バッテリセル１１０の側面に配置されたサイドプレート２７０は、基部１０と隣接するサイドプレート２７０の端からバッテリセル１１０に向かって、第３方向に沿って延び、内部に第２ホール２７１ａを含む第１固定ホール部２７１を含むことができる。
【００６０】
固定部材１５０は、ブッシュ部材１４０に形成された第１ホール１４０ａと、第１固定ホール部２７１の第２ホール２７１ａに挿入されて、サイドプレート２７０とブッシュ部材１４０とを一緒に締結することにより、サイドプレート２７０とエンドプレート１６０との間の結合をより堅固なものとすることができる。
【００６１】
バッテリモジュール１００は、バッテリセル１１０の上部を覆うトッププレート２９０を含むことができる。ここで、トッププレート２９０は、バッテリセル１１０の第１面１１８、すなわち、端子部１１１が引き出されるバッテリセル１１０の面を覆うことができ、これにより、端子部１１１またはバスバー１３０が外部導体と短絡されることを防止することができる。トッププレート２９０は、サイドプレート２７０と超音波溶接またはレーザー溶接によって結合されることができる。
【００６２】
また、トッププレート２９０には、ブッシュ部材１４０の第１ホール１４０ａの上端に延びて形成され、内部に第３ホール２９１ａを含む第２固定ホール部２９１を含むことができる。固定部材１５０は、ブッシュ部材１４０に形成された第１ホール１４０ａ及び第３ホール２９１ａに挿入されてトッププレート２９０とブッシュ部材１４０とを一緒に締結することにより、トッププレート２９０とエンドプレート１６０との間の結合をより堅固なものとすることができる。
【００６３】
上述したように、本発明は、バッテリモジュール１００を固定するための別途のブッシュ部材１４０を備えることにより、バッテリモジュールを安定的に基部１０に固定することができる。また、ブッシュ部材１４０が一対のエンドプレート１６０それぞれの両側、または上側及び下側に結合されるので、バッテリモジュール１００全体に加えられる外部の衝撃をエンドプレート１６０に均等に分配することができる。これにより、一定の部分のみに衝撃が集中することを防止することができる。
【００６４】
以上のように、本発明は、具体的な構成要素と限定された実施形態及び図面によって説明されたが、これは、本発明のより全体的な理解のために提供されたものであり、本発明は前記実施形態に限定されるものではなく、本発明の属する分野における通常の知識を有する者であれば、このような記載から様々な変更および変形が可能である。したがって、本発明の思想は、説明された実施形態に限定されてはならず、後述する特許請求の範囲のみならず、この特許請求の範囲と均等であるか、又は等価的変形のあるすべてのものは、本発明の思想の範疇に属すると言える。
【符号の説明】
【００６５】
１００  バッテリモジュール、
１１０  バッテリセル、
１１１  端子部、
１１２  アノード端子、
１１３  カソード端子、
１１４  ベント、
１３０  バスバー、
１４０、２４０  ブッシュ部材、
１４０ａ、２４０ａ  第１ホール、
１５０  固定部材、
１５１  螺子線、
１６０、２６０、３６０、４６０  エンドプレート、
１６１、２６１、２６２、４６２  延長部、
１７０、２７０  サイドプレート、
１８０、２８０、３８０、４８０  エンドブロック、
１８１、２８１、３８１、４８１  安着領域、
２４１  ガイド部、
２７１  第１固定ホール部、
２７１ａ  第２ホール、
２９０  トッププレート、
２９１  第２固定ホール部、
２９１ａ  第３ホール、
３６３、４６３  第１結合領域、
３８３、４８３  第２結合領域
【図１】
2015011989.tif 000003
【図２】
2015011989.tif 000004
【図３】
2015011989.tif 000005
【図４】
2015011989.tif 000006
【図５】
2015011989.tif 000007
【図６】
2015011989.tif 000008
【図７】
2015011989.tif 000009
【図８】
2015011989.tif 000010
【図９】
2015011989.tif 000011
【図１０】
2015011989.tif 000012
【図１１】
2015011989.tif 000013
【図１２】
2015011989.tif 000014